【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
第１の破裂可能な膜を有し、該第１の膜でシールする第１のカセット部と、
第２の破裂可能な膜を有し、該第２の膜でシールする第２のカセット部とを備え、
前記第１と第２の膜の間に粒子封入室を形成すべく、前記第１と第２のカセット部は、一体に取り付け可能なように配置されており、
ここで、前記第１と第２のカセット部は、ほぼ環状であって、前記第１のカセット部は、粒子を受け入れる容器を形成している、無針式注射機器用の粒子カセットの製作時に使用するパーツキットであって、
前記第２のカセット部は、前記第１のカセット部の周りに同心状にまたは前記第１のカセット部の内部に取り付け可能であることを特徴とするパーツキット。
【請求項２】
前記第１と第２のカセット部は、締りばめによって一体に取り付けられるように配置されることを特徴とする請求項１に記載のパーツキット。
【請求項３】
無針式注射機器用の粒子カセットの製作時に使用するパーツキットであって、
第１の破裂可能な膜を有し、該第１の膜でシールする第１のカセット部と、
第２の破裂可能な膜を有し、該第２の膜でシールする第２のカセット部とを備え、
前記第１と第２の膜の間に粒子封入室を形成すべく、前記第１と第２のカセット部を締りばめによって一体に取り付け可能なように配置していることを特徴とするパーツキット。
【請求項４】
前記第１および第２のカセット部は、ほぼ環状であって、前記第１のカセット部は、粒子を受け入れる容器を形成していることを特徴とする請求項３に記載のパーツキット。
【請求項５】
前記第１と第２のカセット部それぞれは、該第１と第２のカセット部が一体に取り付けられたときに、スナップばめを提供する互いに合致する機構を含むことを特徴とする請求項１から４のいずれか一項に記載のパーツキット。
【請求項６】
前記合致する機構は、つめ部と凹部とを含むことを特徴とする請求項５に記載のパーツキット。
【請求項７】
前記第１と第２のカセット部のそれぞれは、前記第１と第２のカセット部を一体に取り付け可能になる方向で、前記カセットを、所定の寸法に取り付けることを確実にする座面を有することを特徴とする請求項１から６のいずれか一項に記載のパーツキット。
【請求項８】
前記第１と第２のカセット部それぞれが、前記カセットを適切に組み立てたとき、互いに完全に接触するように配置された、テーパー形状を有する面を備えることを特徴とする請求項１から７のいずれか一項に記載のパーツキット。
【請求項９】
前記カセットを適切に組み立てたとき、前記合致する機構は、互いに完全に接触するように配置されたテーパー形状を有する面を備えることを特徴とする請求項５に記載のパーツキット。
【請求項１０】
前記第１と第２のカセット部を一体に係止する第３のカセット部をさらに含むことを特徴とする請求項１から９のいずれか一項に記載のパーツキット。
【請求項１１】
前記第３のカセット部は、該カセット部にシールされた第３の膜を有することを特徴とする請求項１０に記載のパーツキット。
【請求項１２】
前記第３のカセット部は、前記第２のカセット部との締りばめを形成すべく突起を備えることを特徴とする請求項１０または１１に記載のパーツキット。
【請求項１３】
前記第１と第２のカセット部は、前記第１のカセット部の周りに環状の隙間を残して一体に嵌合するように形成されることを特徴とする請求項１から１２のいずれか一項に記載のパーツキット。
【請求項１４】
前記第１と第２のカセット部は、前記第１のカセット部の周りに環状の隙間を残して一体に嵌合するように形成され、前記第３のカセット部は、前記第１と、前記第２と、前記第３のカセット部とを一体に係止するよう前記環状の隙間に挿入される部分を有することを特徴とする請求項１０から１２のいずれか一項に記載のパーツキット。
【請求項１５】
前記第１のカセット部は、ガスを前記粒子封入室に供給する少なくとも１つの移送ダクトを備えることを特徴とする請求項１から１４のいずれか一項に記載のパーツキット。
【請求項１６】
前記第３のカセット部は、ガスを前記第１のカセット部の周りの環状のスペースに供給するガスポートを備えることを特徴とする請求項１０、１１、１２、または１３のいずれか一項に記載のパーツキット。
【請求項１７】
前記第１と第２のカセット部がねじ山によって取り付けられるよう配置されることを特徴とする請求項１から１６のいずれか一項に記載のパーツキット。
【請求項１８】
１８０度以下の相対的な回転によって前記第１と第２のカセット部を一体に取り付けることができるように前記ねじ山が粗いピッチを有していることを特徴とする請求項１７に記載のパーツキット。
【請求項１９】
前記第１と第２のカセット部の１つが、前記第１と第２のカセット部が一体に取り付けられたとき、前記組み立てられたカセットの外に向かって開口するように配置された開口室を備えていることを特徴とする請求項１から１８のいずれか一項に記載のパーツキット。
【請求項２０】
前記第１と第２のカセット部は、ヒートシール以外の方法によって一体に取り付けられるように配置されることを特徴とする請求項１から１９のいずれか一項に記載のパーツキット。
【請求項２１】
無針式注射機器用の粒子カセットの製作時に使用するパーツキットであって、
第１の破裂可能な膜を有し、該第１の膜でシールする第１のカセット部と、
第２の破裂可能な膜を有し、該第２の膜でシールする第２のカセット部とを備え、
前記第１と第２の膜の間に粒子封入室を形成すべく、前記第１と第２のカセット部をヒートシール以外の方法によって一体に取り付け可能なように配置していることを特徴とするパーツキット。
【請求項２２】
前記第１と第２のカセット部は、ほぼ環状であって、前記第１のカセット部は、粒子を受け入れる容器を形成していることを特徴とする請求項２１に記載のパーツキット。
【請求項２３】
請求項１から２２のいずれか一項に記載の組み立て後のパーツキットと、
前記第１と第２の膜の間の前記粒子封入室に供給された粒子と、を備えることを特徴とする無針式注射器用の粒子カセット。
【請求項２４】
前記粒子は、粉末状の薬を含むことを特徴とする請求項２３に記載の粒子カセット。
【請求項２５】
請求項２４に記載の前記粒子カセットを含むことを特徴とする無針式注射器。
【請求項２６】
無針式注射機器用の粒子カセットを組み立てる方法であって、
（ａ）第１のカセット部に第１の破裂可能な膜をシールするステップと、
（ｂ）第２のカセット部に第２の破裂可能な膜をシールするステップと、
（ｃ）粒子を前記第１のカセット部に供給するステップと、
（ｄ）前記第１と第２の膜の間に前記供給された粒子を閉じ込める空間を作るように前記第１と第２のカセット部を一体に取り付けるステップと、を含むことを特徴とする粒子カセットの組立方法。
【請求項２７】
前記シールするステップ（ａ）と（ｂ）は、ヒートシールをするステップを含むことを特徴とする請求項２６に記載の粒子カセットの組立方法。
【請求項２８】
前記取り付けステップ（ｄ）は、加熱過程を含まないことを特徴とする請求項２６または２７に記載の粒子カセットの組立方法。
【請求項２９】
前記取り付けステップ（ｄ）は、供給ステップ（ｃ）と同じ温度で実行されることを特徴とする請求項２６、２７または２８に記載の粒子カセットの組立方法。
【請求項３０】
前記第１のカセット部は、ほぼ環状であって、容器を形成し、前記ステップ（ｃ）において前記粒子が前記容器に供給されることを特徴とする請求項２６から２９のいずれか一項に記載の粒子カセットの組立方法。
【請求項３１】
前記第２のカセット部は、ほぼ環状であって、前記ステップ（ｄ）は、前記第２のカセット部を前記第１のカセット部の周りに同心状にまたは前記第１のカセット部の内部に嵌合するステップを含むことを特徴とする請求項２６から３０のいずれか一項に記載の粒子カセットの組立方法。
【請求項３２】
前記ステップ（ｄ）は、前記第１と第２のカセット部の間の締まりばめを形成するステップを含むことを特徴とする請求項２６から３１のいずれか一項に記載の粒子カセットの組立方法。
【請求項３３】
前記第１と第２のカセット部それぞれは、前記第１と第２のカセット部が一体に取り付けられたときに、スナップばめを可能とする、互いに合致する機構を備え、また
前記ステップ（ｄ）が、前記互いに合致する機構を結合して前記第２のカセット部の前記第１のカセット部へのスナップ結合を実行するステップを含むことを特徴とする請求項２６から３２のいずれか一項に記載の粒子カセットの組立方法。
【請求項３４】
前記合致する機構は、つめ部と凹部を有し、前記ステップ（ｄ）が前記凹部の中に前記つめ部を位置決めするステップを含むことを特徴とする請求項３３に記載の粒子カセットの組立方法。
【請求項３５】
シールステップ（ａ）と（ｂ）は、前記第１と前記第２の膜の周囲をほぼ環状の前記第１と第２のカセット部それぞれにシールするステップを含むことを特徴とする請求項２６から３４のいずれか一項に記載の粒子カセットの組立方法。
【請求項３６】
前記ステップ（ｃ）は、前記ステップ（ｂ）の前に実行されることを特徴とする請求項２６から３５のいずれか一項に記載の粒子カセットの組立方法。
【請求項３７】
前記第１と前記第２のカセット部それぞれは、該両カセット部が取り付けられるために移動する方向とほぼ垂直な座面を備え、前記ステップ（ｄ）は、前記それぞれの座面を接触させるステップをさらに含むことを特徴とする請求項２６から３６のいずれか一項に記載の粒子カセットの組立方法。
【請求項３８】
前記第１と前記第２のカセット部それぞれは、該両カセット部が取り付けられるために移動する方向と鋭角でテーパー形状を有した面を含み、前記ステップ（ｄ）は、前記それぞれテーパー形状を有した面を接触させるステップをさらに含むことを特徴とする請求項２６から３７のいずれか一項に記載の粒子カセットの組立方法。
【請求項３９】
前記取り付けステップ（ｄ）は、前記第１と前記第２のカセット部を一体に取り付けるように第３のカセット部を導入するステップを含むことを特徴とする請求項２６から３８のいずれか一項に記載の粒子カセットの組立方法。
【請求項４０】
前記第３のカセット部を使用する前に、第３の破裂可能な膜を前記第３のカセット部にシールするステップを含むことを特徴とする請求項３９に記載の粒子カセットの組立方法。
【請求項４１】
ステップ（ｄ）は、前記第１と前記第２のカセット部を一体にねじ止めするよう、両カセット部を互いに相対的に回転させるステップを含むことを特徴とする請求項２６から４０のいずれか一項に記載の粒子カセットの組立方法。
【請求項４２】
前記相対的な回転が１８０度未満であることを特徴とする請求項４１に記載の粒子カセットの組立方法。
【請求項４３】
請求項２６から４２のいずれか一項に記載の組み立て方法を使用して製作される無針式注射機器用の粒子カセット。